(57)【要約】      （修正有）【課題】ロスの少ない送水ができる送水装置を提供する。【解決手段】送水装置は、水源から水を汲み上げるための汲み上げポンプ１４と、汲み上げられた水を貯蔵するための貯水槽とを有する。汲み上げポンプと貯水槽の間にポンプ室２０が設置され、汲み上げポンプで汲み上げられた水がポンプ室内に流入する。ポンプ室内に中継ポンプ２２が設けられている。ポンプ室内の水を貯水槽に送出する。中継ポンプが水中ポンプとして構成されている。ポンプ室内が密閉されている。【選択図】図１
0003136823.tif 000002
【実用新案登録請求の範囲】
【請求項１】
水源から水を汲み上げポンプで汲み上げ、汲み上げられた水を貯水槽に貯蔵する送水装置であって、汲み上げポンプと貯水槽の間にポンプ室が設置され、ポンプ室内が密閉されており、ポンプ室内に水中タイプの中継ポンプが設けられていて、汲み上げポンプで汲み上げられた水をポンプ室内に流入させ、ポンプ室内の中継ポンプによってポンプ室内の水を貯水槽に送水することを特徴とする送水装置。
【請求項２】
汲み上げポンプで汲み上げられた水を密閉状態のポンプ室内に流入させて、ポンプ室内を加圧して大気圧よりも大きい状態にすることを特徴とする請求項１に記載の送水装置。
【請求項３】
汲み上げポンプ及び中継ポンプの両者を同時に作動させて、汲み上げポンプの汲み上げ量と中継ポンプの汲み上げ量とのバランスをとるように汲み上げポンプ及び中継ポンプを連動させることを特徴とする請求項１又は２に記載の送水装置。
【請求項４】
水源にオフ用水位計とオン用水位計が設けられており、オン用水位計がオフ用水位計の上方に位置しており、一方で、水源の水位がオフ用水位計まで下降したとき、汲み上げポンプと中継ポンプをオフの状態にし、他方で、水源の水位がオン用水位計まで上昇したとき、汲み上げポンプと中継ポンプをオンの状態にすることを特徴とする請求項１〜３のいずれか１項に記載の送水装置。
【請求項５】
ポンプ室と汲み上げポンプとの間の水圧を測定するゲージを設けたことを特徴とする請求項１〜４のいずれか１項に記載の送水装置。
【請求項６】
ポンプ室と汲み上げポンプとの間の水圧を検出し、必要に応じて汲み上げポンプの作動を停止させるための圧力スイッチが設けられていることを特徴とする請求項１〜５のいずれか１項に記載の送水装置。
【請求項７】
ポンプ室が、円筒状又は球状の容器と、蓋体を有し、容器の上部に蓋体が密閉状態に設けられていることを特徴とする請求項１〜６のいずれか１項に記載の送水装置。
【請求項８】
ポンプ室内の水を貯水槽に送出するためのパイプがポンプ室内の中継ポンプに接続されており、このパイプの近くでパイプ内の水圧を測定するゲージが設けられていることを特徴とする請求項１〜７のいずれか１項に記載の送水装置。
【考案の詳細な説明】
【技術分野】
【０００１】
本考案は、水源から水を汲み上げるための汲み上げポンプと、汲み上げられた水を貯蔵するための貯水槽とを有する送水装置に関する。
【背景技術】
【０００２】
従来から、例えば低所にある井戸等の水源から汲み上げポンプを用いて水を中継室に汲み上げて、汲み上げられた水を中継ポンプによって中継室から高所にある貯水槽に送水する送水装置は公知である。特許文献１を参照。
【０００３】
このような従来の送水装置においては、例えば汲み上げポンプで汲み上げられた水は、まず大気圧状態の中継室内に送られ、次に、そこから中継ポンプで貯水槽に送水されていた。
【特許文献１】実開昭５６−５１８６５号公報
【考案の開示】
【考案が解決しようとする課題】
【０００４】
中継室が大気圧下にあって、汲み上げポンプと中継ポンプはうまく連動させることが困難であった。そのため、水源用の汲み上げポンプと中継ポンプの能力を十分に生かすことができず、送水ロスがあった。例えば、中継ポンプの送水能力が１０〜２０％以上ロスすることがあった。このロスを補償するため、更なる中継ポンプ（つまり２個以上）を設けて送水が行われることがあった。
【０００５】
そこで、本考案は、送水ロスが少ない送水装置を提供することを目的としている。
【課題を解決するための手段】
【０００６】
本考案の解決手段を例示すると、以下のとおりである。
【０００７】
（１）水源から水を汲み上げポンプで汲み上げ、汲み上げられた水を貯水槽に貯蔵する送水装置であって、汲み上げポンプと貯水槽の間にポンプ室が設置され、ポンプ室内が密閉されており、ポンプ室内に水中タイプの中継ポンプが設けられていて、汲み上げポンプで汲み上げられた水をポンプ室内に流入させ、ポンプ室内の中継ポンプによってポンプ室内の水を貯水槽に送水することを特徴とする送水装置。
【０００８】
（２）汲み上げポンプで汲み上げられた水を密閉状態のポンプ室内に流入させて、ポンプ室内を加圧して大気圧よりも大きい状態にすることを特徴とする前述の送水装置。
【０００９】
（３）汲み上げポンプ及び中継ポンプの両者を同時に作動させて、汲み上げポンプの汲み上げ量と中継ポンプの汲み上げ量とのバランスをとるように汲み上げポンプ及び中継ポンプを連動させることを特徴とする前述の送水装置。
【００１０】
（４）水源にオフ用水位計とオン用水位計が設けられており、オン用水位計がオフ用水位計の上方に位置しており、一方で、水源の水位がオフ用水位計まで下降したとき、汲み上げポンプと中継ポンプをオフの状態にし、他方で、水源の水位がオン用水位計まで上昇したとき、汲み上げポンプと中継ポンプをオンの状態にすることを特徴とする前述の送水装置。
【００１１】
（５）ポンプ室と汲み上げポンプとの間の水圧を測定するゲージを設けたことを特徴とする前述の送水装置。
【００１２】
（６）ポンプ室と汲み上げポンプとの間の水圧を検出し、必要に応じて汲み上げポンプの作動を停止させるための圧力スイッチが設けられていることを特徴とする前述の送水装置。
【００１３】
（７）ポンプ室が、円筒状又は球状の容器と、蓋体を有し、容器の上部に蓋体が密閉状態に設けられていることを特徴とする前述の送水装置。
【００１４】
（８）ポンプ室内の水を貯水槽に送出するためのパイプがポンプ室内の中継ポンプに接続されており、このパイプの近くでパイプ内の水圧を測定するゲージが設けられていることを特徴とする前述の送水装置。
【考案の効果】
【００１５】
本考案によれば、ポンプ室を密閉して、そのポンプ室内に中継ポンプが設置されているので、少ないロスで送水ができる。とくに、汲み上げポンプの送水圧力が失われることが少なく、ポンプ室内と中継ポンプをうまく連動させることが容易であり、中継ポンプの持つ送水能力を１００％生かすことができる。
【００１６】
汲み上げポンプと中継ポンプの能力をバランスよく連動させると、全体の送水効率は、著しく向上する。汲み上げポンプによって、中継ポンプの存在するポンプ室内の圧力を最適値に増加させて維持すると、送水効率は、格段に向上する。
【００１７】
さらに、ポンプ室内の水圧を検出してポンプ室内の水圧を最適の範囲に維持するだけでなく、汲み上げポンプの作動を停止させる圧力スイッチが設けられていると、ポンプ室に過圧が加わることを防止でき、送水を安全に行うこともできる。
【００１８】
ポンプ室が、円筒状又は球状の容器と、容器の上部を密閉する蓋体を有すると、密閉のための耐圧性を高度に維持することができる。
【００１９】
ポンプ室内の水を貯水槽に送出するためのパイプが中継ポンプに接続されており、このパイプが蓋体を介してポンプ室の外部に導出されていると、パイプの取付けにより容器の耐圧性が低下するのを防止でき、耐圧性の維持が容易である。
【考案を実施するための最良の形態】
【００２０】
本考案の最良の形態による送水装置は、水源から水を汲み上げるための汲み上げポンプと、汲み上げられた水を貯蔵するための貯水槽とを有する。
【００２１】
汲み上げポンプと貯水槽の間にポンプ室が設置され、汲み上げポンプで汲み上げられた水がポンプ室内に流入する。好ましくは、汲み上げポンプで汲み上げられた水をポンプ室内に流入させることにより、ポンプ室内を加圧する。
【００２２】
密閉状態のポンプ室内に中継ポンプが設けられている。中継ポンプは、水中ポンプとして構成されていて、ポンプ室内が密閉されており、圧力が常に大気圧よりも高くなっている。
【００２３】
また、水源から水を汲み上げポンプで汲み上げ、汲み上げられた水を貯水槽に送水するときに、汲み上げポンプ及び中継ポンプの両者を同時に作動させて、汲み上げポンプの汲み上げ量と中継ポンプの汲み上げ量とのバランスをとることが好ましい。
【００２４】
さらに、水源にオフ用水位計とオン用水位計を設け、オン用水位計がオフ用水位計の上方に位置していて、一方で、水源の水位がオフ用水位計まで下降したとき、汲み上げポンプと中継ポンプをオフの状態にし、他方で、水源の水位がオン用水位計まで上昇したとき、汲み上げポンプと中継ポンプをオンの状態にすることが好ましい。
【００２５】
好ましくは、水源は既設の井戸であるが、本考案の水源は既設の井戸に限定されず、他の種々の水源に適用可能である。
【００２６】
好ましくは、水圧用のゲージを設けて、ポンプ室内の水圧を検出して、ポンプ室内の水圧を常に最適の値に維持する。さらに、汲み上げポンプの作動を停止させる圧力スイッチを設ける。
【００２７】
好ましくは、ポンプ室は、円筒状又は球状の容器（以下、円筒状容器を例にして説明する）と、円筒状容器の上部を密閉する蓋体を有する。本考案におけるポンプ室は、これに限定されず、例えば球形のポンプ室を採用することもできる。この場合、より耐圧性の高いポンプ室を構成できる。
【００２８】
好ましくは、ポンプ室内の水を貯水槽に送出するためのパイプが中継ポンプに接続されており、このパイプの近くでパイプ内の水圧を測定するゲージが設けられている。さらに、このパイプが蓋体を介してポンプ室の外部に導出されているのが好ましい。
【実施例】
【００２９】
以下、図面を参照して本考案の実施例を説明する。
【００３０】
図１は、本考案による送水装置の水源付近の一例を示す。図２は、本考案による送水装置の水源付近の一例を平面図で示す。図３は、本考案による送水装置の貯水槽付近の一例を示す。図４は、本考案による送水装置の浄化槽付近の一例を示す。
【００３１】
送水装置１０は、汲み上げポンプ１４を有する。汲み上げポンプ１４は、水源、例えば井戸とくに既設井戸１２から水を汲み上げるためのものである。
【００３２】
汲み上げポンプ１４は、制御装置１６に接続されていて駆動制御されるようになっている。制御装置１６は、動力配線１７を介して図示省略された動力源に接続されている。例えば、汲み上げポンプ１４は、５０×３．７ｋｗのタイプのものが用いられる。
【００３３】
汲み上げポンプ１４は、接続パイプ１８を介してポンプ槽２０に接続されている。汲み上げポンプ１４で汲み上げられた水は、接続パイプ１８を通ってポンプ槽２０内に流入するようになっている。
【００３４】
接続パイプ１８には、ゲージ３２と圧力スイッチ３４が設けられている。圧力スイッチ３４は、ゲージ３２で測定された接続パイプ１８内の圧力に基づいて、制御装置１６により汲み上げポンプ１４の作動を停止させる。例えば、５ｋｇ／ｃｍ２でＯＮ、３ｋｇ／ｃｍ２でＯＦＦになるようになっている。ゲージ３２により測定された、接続パイプ１８内の水圧に基づいて、汲み上げポンプ１４を作動させることにより、ポンプ槽２０内の水圧を大気圧よりも大きい所定範囲の値に調整できるようになっている。
【００３５】
接続パイプ１８の一部には、バルブ３８が設けられている。バルブ３８には配管４０が接続されていて、接続パイプ１８と浄化槽４２を接続している。バルブ３８を開放することにより、既設井戸１２で汲み上げられた水を浄化槽４２に導くことができるようになっている。浄化槽４２は、ボンド貯水槽３０とパイプ４４を介して接続されている。
【００３６】
ポンプ槽２０は、ポンプ室の一例であり、内部に中継ポンプ２２が密閉して設置されている。中継ポンプ２２は、ポンプ槽２０内に設置される水中ポンプとして構成されている。ポンプ槽２０は、汲み上げポンプ１４の送水圧力により増加された、大気圧よりも大きい圧力に耐えられるように構成されている。中継ポンプ２２は、例えば４０×５．５ｋｗのタイプのものが用いられる。
【００３７】
ポンプ槽２０は、蓋体２０ａと円筒状容器２０ｂを有する。蓋体２０ａが円筒状容器２０ｂの上部に密閉状態で装着される。そのことにより、ポンプ槽２０が確実に密閉されるようになっている。なお、蓋体２０ａの上面は、例えば既設井戸１２の上面から１０．０ｍの高さにある。
【００３８】
中継ポンプ２２は、導電線２４を介して制御装置２６に接続されている。制御装置２６は、動力配線１７を介して図示省略された動力源に接続されている。制御装置２６は、更に、導電線２８を介してボンド貯水槽３０に接続されている。制御装置２６により、ボンド貯水槽３０内の水量に合わせて中継ポンプ２２の送水量が調節される。ボンド貯水槽３０の底面は、例えばポンプ槽２０の蓋体２０ａから６５．０ｍの高さにある。
【００３９】
中継ポンプ２２は、パイプ３６を介してボンド貯水槽３０に接続されている。パイプ３６は、蓋体２０ａを介してポンプ室２０の外部に導出されている。ゲージ３９は、ポンプ槽２０の近くでパイプ３６内の水圧を測定するためのものである。
【００４０】
また、汲み上げポンプで汲み上げられた水をポンプ室内に流入させることにより、ポンプ室２０内を加圧する。
【００４１】
汲み上げポンプ１４及び中継ポンプ２２の両者が作動しているときに、汲み上げポンプ１４の汲み上げ量と中継ポンプ２２の汲み上げ量とのバランスをとって、水源から水を汲み上げポンプ１４で汲み上げ、汲み上げられた水を貯水槽に送水する。
【００４２】
水源である井戸１２にオフ用水位計５１とオン用水位計５２が設けられており、制御装置２６に接続されている。オン用水位計５２がオフ用水位計５１の上方に位置している。一方で、水源つまり井戸１２の水位がオフ用水位計５１まで下降したとき、汲み上げポンプ１４と中継ポンプ２２をオフの状態にする。他方で、井戸１２の水位がオン用水位計５２まで上昇したとき、汲み上げポンプ１４と中継ポンプ２２をオンの状態にする。
【００４３】
送水装置１０の作用を説明する。
【００４４】
既設井戸１２内の水は、汲み上げポンプ１４で汲み上げられて接続パイプ１８を通ってポンプ槽２０内に流入する。ポンプ槽２０は密閉されているので、汲み上げポンプ１４の送水圧力は失われる事なくポンプ槽２０内に加えられ、ポンプ槽２０内の圧力は、常に大気圧よりも大である。換言すれば、中継ポンプ２２のポンプ圧力に、汲み上げポンプ１４のポンプ圧力が加えられる。汲み上げポンプ１４は、そのポンプ圧力を１００％生かして中継ポンプ２２と連動することができるようになっている。
【００４５】
本考案は図示された実施例に限定されない。汲み上げポンプや中継ポンプの形状や配置は任意である。
【図面の簡単な説明】
【００４６】
【図１】本考案による送水装置の水源付近の一例を示す立体図。
【図２】本考案による送水装置の水源付近の一例を示す平面図。
【図３】本考案による送水装置の貯水槽付近の一例を示す。
【図４】本考案による送水装置の浄化槽付近の一例を示す。
【符号の説明】
【００４７】
１０  送水装置
１２  井戸
１４  汲み上げポンプ
１６  制御装置
１８  接続パイプ
２０  ポンプ槽（ポンプ室）
２０ａ  蓋体
２０ｂ  円筒状容器
２２  中継ポンプ（水中ポンプ）
２４  導電線
２６  制御装置
２８  導電線
３０  ボンド貯水槽（貯水槽）
３２  ゲージ
３４  圧力スイッチ
３６  パイプ
３８  バルブ
３９  ゲージ
４０  配管
４２  浄化槽
４４  パイプ
５１  オフ用水位計
５２  オン用水位計
【図１】
0003136823.tif 000003
【図２】
0003136823.tif 000004
【図３】
0003136823.tif 000005
【図４】
0003136823.tif 000006